(57)【要約】【課題】インタラクティブMBMSが行われる移動通信システムで、下りMBMSチャネルに応答する上り回線を設定する手続の効率化を図ること。【解決手段】移動通信システムでは、下りMBMSチャネルが複数のセルから互いに同期したタイミングで送信される。本システムは、基地局装置より上位のノードにより指定された複数のユーザ装置に対して、下りMBMSチャネルに応答するための上り回線を設定する通知を一括して送信する手段と、通知に反応したユーザ装置に対して、上り回線を設定する手段と、上り回線を通じて各ユーザ装置から受信した信号を上位のノードに転送する手段とを有する。【選択図】図１
2009147537.tif 000002
【特許請求の範囲】
【請求項１】
マルチメディアブロードキャストマルチキャストサービスによる下りチャネル(下りMBMSチャネル)が複数のセルから互いに同期したタイミングで送信される移動通信システムであって、
基地局装置より上位のノードにより指定された複数のユーザ装置に対して、前記下りMBMSチャネルに応答するための上り回線を設定する通知を一括して送信する手段と、
前記通知に反応したユーザ装置に対して、前記上り回線を設定する手段と、
前記上り回線を通じて各ユーザ装置から受信した信号を前記上位のノードに転送する手段と、
を有する移動通信システム。
【請求項２】
前記の通知は、複数のユーザ装置に共通する共通制御情報と、個々のユーザ装置毎に用意された個別制御情報とを含み、前記共通制御情報と複数のユーザ装置分の個別制御情報とを含む情報が、チャネル符号化の１単位を構成するようにした請求項１記載の移動通信システム。
【請求項３】
マルチメディアブロードキャストマルチキャストサービスによる下りチャネル(下りMBMSチャネル)が複数のセルから互いに同期したタイミングで送信される移動通信システムで使用される基地局装置であって、
当該基地局装置より上位のノードにより指定された複数のユーザ装置に対して、前記下りMBMSチャネルに応答するための上り回線を設定する通知を一括して送信する手段と、
前記通知に反応したユーザ装置に対して、前記上り回線を設定する手段と、
前記上り回線を通じて各ユーザ装置から受信した信号を前記上位のノードに転送する手段と、
を有する基地局装置。
【請求項４】
前記の通知は、複数のユーザ装置に共通する共通制御情報と、個々のユーザ装置毎に用意された個別制御情報とを含み、前記共通制御情報と複数のユーザ装置分の個別制御情報とを含む情報が、チャネル符号化の１単位を構成する請求項３記載の基地局装置。
【請求項５】
マルチメディアブロードキャストマルチキャストサービスによる下りチャネル(下りMBMSチャネル)が複数のセルから互いに同期したタイミングで送信される移動通信システムで使用される方法であって、
当該基地局装置より上位のノードにより指定された複数のユーザ装置に対して、前記下りMBMSチャネルに応答するための上り回線を設定する通知が基地局装置から一括して送信されるステップと、
前記通知に反応したユーザ装置に対して、前記上り回線を設定するステップと、
前記上り回線を通じて各ユーザ装置から受信した信号を前記基地局装置から前記上位のノードへ転送するステップと、
を有する方法。
【請求項６】
マルチメディアブロードキャストマルチキャストサービスによる下りチャネル(下りMBMSチャネル)が複数のセルから互いに同期したタイミングで送信される移動通信システムであって、
前記下りMBMSチャネルに応答するための上り回線を設定する要求をユーザ装置から受ける手段と、
前記ユーザ装置に対して、前記上り回線を設定する手段と、
前記上り回線を通じて各ユーザ装置から受信した信号を、基地局装置より上位のノードに転送する手段と、
を有し、前記要求を受けるタイミングは、当該移動通信システムで予め決められている所定の周期で訪れるタイミングの何れかであるようにした移動通信システム。
【請求項７】
マルチメディアブロードキャストマルチキャストサービスによる下りチャネル(下りMBMSチャネル)が複数のセルから互いに同期したタイミングで送信される移動通信システムで使用される基地局装置であって、
前記下りMBMSチャネルに応答するための上り回線を設定する要求をユーザ装置から受ける手段と、
前記ユーザ装置に対して、前記上り回線を設定する手段と、
前記上り回線を通じて各ユーザ装置から受信した信号を、基地局装置より上位のノードに転送する手段と、
を有し、前記要求を受けるタイミングは、当該移動通信システムで予め決められている所定の周期で訪れるタイミングの何れかであるようにした基地局装置。
【請求項８】
マルチメディアブロードキャストマルチキャストサービスによる下りチャネル(下りMBMSチャネル)が複数のセルから互いに同期したタイミングで送信される移動通信システムで使用されるユーザ装置であって、
前記下りMBMSチャネルを受信する手段と、
該下りMBMSチャネルに応答するための上り回線を設定することを要求する要求信号を基地局装置に送信する手段と、
前記要求信号に応じて設定された上り回線を通じて、前記下りMBMSチャネルに応答する応答信号を基地局装置に送信する手段と、
を有し、前記要求信号を送信するタイミングは、前記移動通信システムで予め決められている所定の周期で訪れるタイミングの何れかであるようにしたユーザ装置。
【請求項９】
マルチメディアブロードキャストマルチキャストサービスによる下りチャネル(下りMBMSチャネル)が複数のセルから互いに同期したタイミングで送信される移動通信システムで使用される方法であって、
前記下りMBMSチャネルに応答するための上り回線を設定する要求をユーザ装置から受けるステップと、
前記ユーザ装置に対して、前記上り回線を設定するステップと、
前記上り回線を通じて各ユーザ装置から受信した信号を、基地局装置より上位のノードに転送するステップと、
を有し、前記要求を受けるタイミングは、前記移動通信システムで予め決められている所定の周期で訪れるタイミングの何れかであるようにした方法。
【請求項１０】
マルチメディアブロードキャストマルチキャストサービスによる下りチャネル(下りMBMSチャネル)が複数のセルから互いに同期したタイミングで送信される移動通信システムであって、
前記下りMBMSチャネルに応答するための上り回線を設定する要求をユーザ装置から受ける手段と、
前記上り回線が設定された複数のユーザ装置に対して、前記上り回線を設定する通知を一括して送信し、前記上り回線を設定する手段と、
前記上り回線を通じて各ユーザ装置から受信した信号を、基地局装置より上位のノードに転送する手段と、
を有し、前記要求を受けるタイミングは、当該移動通信システムで予め決められている所定の周期で訪れるタイミングの何れかであるようにした移動通信システム。
【請求項１１】
マルチメディアブロードキャストマルチキャストサービスによる下りチャネル(下りMBMSチャネル)が複数のセルから互いに同期したタイミングで送信される移動通信システムであって、
上りのユニキャストチャネル用の帯域及び下りのユニキャストチャネル用の帯域とは別に、前記下りMBMSチャネル用の帯域が用意され、
前記下りMBMSチャネルに応答するための上り回線が、前記上りのユニキャストチャネル用の帯域で設定されるようにした移動通信システム。
【発明の詳細な説明】
【技術分野】
【０００１】
本発明は一般に移動通信の技術分野に関連し、特にマルチメディアブロードキャストマルチキャストサービス(MBMS)による通信に関連する。
【背景技術】
【０００２】
近年の移動通信システムではユニキャストチャネルだけでなくブロードキャストチャネル、特にマルチメディアブロードキャストマルチキャストサービス(MBMS:  Multimedia  Broadcast  Multicast  Service)による通信も行われている。下りMBMSチャネルは、複数のセルから互いに同期したタイミングで同一内容で伝送される。ユーザ装置は各セルからの下りMBMSチャネルをソフトコンバイニングすることで、受信品質を高く保つことができる。特に、下りMBMSチャネルに関して複数のセルで同じスクランブルコードが使用され且つ互いに同期して同じ下りMBMSチャネルが複数のセルから送信される場合、ユーザ装置で受信される各セルからの信号は、それらがあたかも１つの基地局から送信されたマルチパス成分のように処理できる。このような技術は、SFN(Single  Frequency  Network)又はMBSFN(Multicast  Broadcast  SFN)と呼ばれる。
【０００３】
更に、ユーザが下りMBMSチャネルを受信するだけでなく、ユーザ側から何らかの意思表示（回答、投票、反応等）を行うことも可能である。このようなサービスは、インタラクティブMBMSと呼ばれる（これについては、例えば本願出願時点における非特許文献１参照。）。
【非特許文献１】インターネット<URL: http://www.qualcomm.com/mediaflo/products/interactivity.shtml>
【発明の開示】
【発明が解決しようとする課題】
【０００４】
インタラクティブMBMSでは、各ユーザが意思表示をするために各ユーザについて上り回線（又は上りコネクション）が設定されなければならない。上り回線の設定については、ユニキャストチャネルの場合と同様に行うことが考えられる。ユニキャストチャネルはユーザ毎に異なる信号が異なるタイミングで伝送されることを前提とするので、上り回線の設定手順も個々のユーザに特化して処理される。しかしながらMBMS(MBSFN)の場合、複数のユーザが同じ信号を同時に受信するので、上り回線の設定手順について、ユニキャストチャネルの場合の手順をそのまま使用することは効率的でないかもしれない。
【０００５】
ところで、ユニキャストチャネルでは同程度に広い帯域が上下リンクにそれぞれ用意され、上りリンクと下りリンクにトラフィックが同程度に多く発生してもそれらを十分収容できるように、システムが設計されている。ユニキャストチャネルとMBMSチャネルは、各セルからの伝送方式が異なるので、それらを時間分割多重(TDM)方式で伝送することが考えられるかもしれない。例えば、所定の周期で訪れるサブフレームで下りMBMSチャネルを伝送し、他のサブフレームではユニキャストチャネルが伝送される。MBMSの場合、上下リンクのトラフィック量は非対称になることが（下りチャネルのトラフィック量が圧倒的に多くなることが）多分に予想される。この場合、MBMSチャネルのサブフレームでは、下りチャネル用の帯域は十分に活用されるかもしれないが、上りチャネル用の帯域の利用率はかなり低くなってしまうおそれがある。
【０００６】
本発明の課題は、インタラクティブMBMSが行われる移動通信システムで、下りMBMSチャネルに応答する上り回線を設定する手続の効率化を図ることである。
【０００７】
本発明の別の課題は、インタラクティブMBMSが行われる移動通信システムで、下りMBMSチャネルに応答する上り回線の帯域利用効率を高めることである。
【課題を解決するための手段】
【０００８】
本発明の一形態による移動通信システムでは、下りMBMSチャネルが複数のセルから互いに同期したタイミングで送信される。移動通信システムは、基地局装置より上位のノードにより指定された複数のユーザ装置に対して、前記下りMBMSチャネルに応答するための上り回線を設定する通知を一括して送信する手段と、前記通知に反応したユーザ装置に対して、前記上り回線を設定する手段と、前記上り回線を通じて各ユーザ装置から受信した信号を前記上位のノードに転送する手段とを有する。
【発明の効果】
【０００９】
本発明によれば、インタラクティブMBMSが行われる移動通信システムで、下りMBMSチャネルに応答する上り回線を設定する手続の効率化を図ることができる。
【発明を実施するための最良の形態】
【００１０】
本発明の一形態では、下りMBMSチャネルが複数のセルから互いに同期したタイミングで送信される移動通信システムにおける基地局装置が使用される。基地局装置は、当該基地局装置より上位のノードにより指定された複数のユーザ装置に対して、前記下りMBMSチャネルに応答するための上り回線を設定する通知を一括して送信する手段と、前記通知に反応したユーザ装置に対して、前記上り回線を設定する手段と、前記上り回線を通じて各ユーザ装置から受信した信号を前記上位のノードに転送する手段とを有する。
【００１１】
前記の通知は、複数のユーザ装置に共通する共通制御情報と、個々のユーザ装置毎に用意された個別制御情報とを含み、前記共通制御情報と複数のユーザ装置分の個別制御情報とを含む情報が、チャネル符号化の１単位を構成してもよい。
【００１２】
本発明の一形態では、下りMBMSチャネルが複数のセルから互いに同期したタイミングで送信される移動通信システムが使用される。移動通信システムは、前記下りMBMSチャネルに応答するための上り回線を設定する要求をユーザ装置から受ける手段と、前記ユーザ装置に対して、前記上り回線を設定する手段と、前記上り回線を通じて各ユーザ装置から受信した信号を、基地局装置より上位のノードに転送する手段とを有する。前記要求を受けるタイミングは、当該移動通信システムで予め決められている所定の周期で訪れるタイミングの何れかである。
【００１３】
本発明の一形態では、下りMBMSチャネルが複数のセルから互いに同期したタイミングで送信される移動通信システムにおけるユーザ装置が使用される。ユーザ装置は、前記下りMBMSチャネルを受信する手段と、該下りMBMSチャネルに応答するための上り回線を設定することを要求する要求信号を基地局装置に送信する手段と、前記要求信号に応じて設定された上り回線を通じて、前記下りMBMSチャネルに応答する応答信号を基地局装置に送信する手段とを有する。前記要求信号を送信するタイミングは、前記移動通信システムで予め決められている所定の周期で訪れるタイミングの何れかである。
【００１４】
本発明の一形態では、下りMBMSチャネルが複数のセルから互いに同期したタイミングで送信される移動通信システムが使用される。移動通信システムは、前記下りMBMSチャネルに応答するための上り回線を設定する要求をユーザ装置から受ける手段と、前記上り回線が設定された複数のユーザ装置に対して、前記上り回線を設定する通知を一括して送信し、前記上り回線を設定する手段と、前記上り回線を通じて各ユーザ装置から受信した信号を、基地局装置より上位のノードに転送する手段とを有する。前記要求を受けるタイミングは、当該移動通信システムで予め決められている所定の周期で訪れるタイミングの何れかである。
【００１５】
本発明の一形態では、下りMBMSチャネルが複数のセルから互いに同期したタイミングで送信される移動通信システムが使用される。移動通信システムでは、上りのユニキャストチャネル用の帯域及び下りのユニキャストチャネル用の帯域とは別に、前記下りMBMSチャネル用の帯域が用意される。前記下りMBMSチャネルに応答するための上り回線は、前記上りのユニキャストチャネル用の帯域で設定される。
【００１６】
発明の理解を促すため具体的な数値例を用いて説明がなされるが、特に断りのない限り、それらの数値は単なる一例に過ぎず適切な如何なる値が使用されてもよい。
【実施例１】
【００１７】
＜システム＞
図１は本発明の一実施例による移動通信システムを示す。移動通信システムは、ユーザ装置UE及び基地局装置eNB1,eNB2,eNB3を含み、各基地局装置は不図示の上位ノード（例えば、アクセスゲートウエイ又はMME/UPE等）に接続される。ユニキャストチャネルはセル毎に異なるスクランブルコードで伝送される。下りMBMSチャネルは、複数のセルで同じスクランブルコードで且つ各セルで互いに同期して同一内容で送信される。ユーザ装置UEは、各セルから受信した下りMBMSチャネルをソフトコンバイニングする。
【００１８】
移動通信システムは、本実施例ではロングタームエボリューション(LTE:  Long  Term  Evolution)方式又は(E-UTRA)方式のシステムであるが、他のシステムでもよい。ＬＴＥにおける下りリンクの無線アクセス方式は、直交周波数分割多重(OFDM:  Orthogonal  Frequency  Division  Multiplexing)方式である。上りリンクについてはシングルキャリア周波数分割多重接続(SC-FDMA:  Single-Carrier  Frequency  Division  Multiple  Access）方式が使用される。
【００１９】
ＬＴＥシステムでは、下りリンクでも上りリンクでもユーザ装置に１つ以上のリソースブロック(Resource  Block)を割り当てることで通信が行われる。リソースブロックはシステム内の多数のユーザ装置で共有される。基地局装置は、ＬＴＥでは１ｍｓであるサブフレーム(Sub-frame)毎に、複数のユーザ装置の内どのユーザ装置にリソースブロックを割り当てるかを決定する。サブフレームは送信時間間隔(ＴＴＩ)と呼ばれてもよい。無線リソースの割り当ての決定はスケジューリングと呼ばれる。下りリンクではスケジューリングで選択されたユーザ装置宛に、基地局装置は１以上のリソースブロックで共有チャネルを送信する。この共有チャネルは、下り物理共有チャネル(PDSCH: Physical  Downlink  Shared  CHannel)と呼ばれる。上りリンクではスケジューリングで選択されたユーザ装置が、１以上のリソースブロックで基地局装置に共有チャネルを送信する。この共有チャネルは、上り物理共有チャネル(PUSCH: Physical  Uplink  Shared  CHannel)と呼ばれる。
【００２０】
上述したような共有チャネルを用いた通信システムにおいては、サブフレーム毎にどのユーザ装置に共有チャネルを割り当てるかをシグナリング（通知）する必要がある。このシグナリングに用いられる制御チャネルは、物理下りリンク制御チャネル(PDCCH:  Physical  Downlink  Control  CHannel)または下りL1/L2制御チャネル (DL-L1/L2  Control  Channel)と呼ばれる。物理下りリンク制御チャネルＰＤＣＣＨには、例えば、
・物理制御フォーマットインジケータチャネル(PCFICH:  Physical  Control  Format  Indicator  CHannel）、
・下りスケジューリング情報(Downlink  Scheduling  Information)、
・送達確認情報(ACK/NACK:  Acknowledgement/Non-Acknowledgement  information)、
・上りリンクスケジューリンググラント(Uplink  Scheduling  Grant)、
・オーバロードインジケータ(Overload  Indicator)及び
・送信電力制御コマンドビット(Transmission  Power  Control  Command Bit)等が含まれる。
【００２１】
PCFICHは、PDCCHのフォーマットを通知するための情報である。より具体的には、PDCCHのマッピングされるOFDMシンボル数が、PCFICHにより通知される。LTEでは、PDCCHのマッピングされるOFDMシンボル数は１，２又は３であり、サブフレームの先頭OFDMシンボルから順にマッピングされる。
【００２２】
少なくとも上記の下りスケジューリング情報は、シグナリングする必要のある情報に相当する。下りスケジューリング情報には、例えば、下りリンクの共有チャネルに関する情報が含まれ、具体的には、下りリンクのリソースブロックの割り当て情報、ユーザ装置の識別情報(UE-ID)、ストリーム数、プリコーディングベクトル(Pre-coding  Vector)に関する情報、データサイズ、変調方式、HARQ(Hybrid  Automatic  Repeat  reQuest)に関する情報等が含まれる。
【００２３】
また、上りリンクスケジューリンググラントには、例えばPUSCHに関する情報が含まれ、具体的には、上りリンクのリソースの割り当て情報、ユーザ装置の識別情報(UE-ID)、データサイズ、変調方式、上りリンクの送信電力情報、アップリンクMIMO(Uplink  MIMO)におけるデモジュレーションレファレンスシグナル(Demodulation Reference Signal)の情報等が含まれる。
【００２４】
上りリンクではPUSCHによりユーザデータ(通常のデータ信号)及びそれに付随する制御情報が伝送される。また、PUSCHとは別に、上りリンク制御チャネル（PUCCH:  Physical  Uplink  Control  CHannel）により、下りリンクの品質情報(CQI:  Channel  Quality  Indicator)及びPDSCHの送達確認情報(ACK/NACK)等が伝送される。ＣＱＩは、下りリンクにおける共有物理チャネルのスケジューリング処理や適応変復調及び符号化処理(AMCS:  Adaptive  Modulation  and  Coding  Scheme)等に使用される。上りリンクでは、ランダムアクセスチャネル(RACH)や、上下リンクの無線リソースの割り当て要求を示す信号等も必要に応じて伝送される。
【００２５】
＜（ａ）ＮＷ側からの契機で自動的に上り回線を設定する＞
図２は一実施例による動作例を説明する際の比較例として従来の動作例を示す。ステップS1で基地局装置eNBから各ユーザ装置UE1,UE2,UE3にMBMSチャネルが伝送され始める。
【００２６】
ステップS2では、或る１つのユーザ装置UE1に対して、上り回線を設定する旨の通知が行われる。
【００２７】
ステップS3では、別の１つのユーザ装置UE2に対して、上り回線を設定する旨の通知が行われる。
【００２８】
ステップS4では、更に別の１つのユーザ装置UE3に対して、上り回線を設定する旨の通知が行われる。
【００２９】
ステップS5では、ユーザ装置UE1が、ステップS2で受けた通知に応答する。これにより、ユーザ装置UE1に対する上り回線の設定手続が開始される。
【００３０】
ステップS6では、ユーザ装置UE2が、ステップS3で受けた通知に応答する。これにより、ユーザ装置UE2に対する上り回線の設定手続が開始される。
【００３１】
ステップS7では、ユーザ装置UE3が、ステップS4で受けた通知に応答する。これにより、ユーザ装置UE3に対する上り回線の設定手続が開始される。
【００３２】
図３は本発明の一実施例による動作例を示す。図２の場合と同様に、ステップS1で基地局装置eNBから各ユーザ装置UE1,UE2,UE3にMBMSチャネルが伝送され始める。
【００３３】
ステップS2では、全ユーザ装置UE1,UE2,UE3に対して、上り回線を設定する旨の通知が一括して行われる。この点、そのような通知がユーザ装置毎になされている図２の動作と大きく異なる。この場合における全ユーザ装置とは、下りMBMSチャネルを受けるユーザ装置の全てを意味し、より厳密には、下りMBMSチャネルの内ユーザからの何らかの応答を期待する下りMBMSチャネルを受けるユーザ装置の全てを意味する。或るユーザ装置が、そのような全てのユーザ装置に該当するか否かは、一例として、基地局装置より上位のノードで管理される。
【００３４】
「通知が一括して行われる」とは、UE1に通知すべき情報と、UE2に通知すべき情報と、UE3に通知すべき情報とを含む信号が、１つのチャネル符号化単位を形成していることを意味する。図４に示されるように、波線枠で囲まれた情報部分が、１つのチャネル符号化単位を構成する。
【００３５】
図３のステップS3では、ユーザ装置UE1が、ステップS2で受けた通知に応答する。これにより、ユーザ装置UE1に対する上り回線の設定手続が開始される。
【００３６】
ステップS4では、ユーザ装置UE2が、ステップS2で受けた通知に応答する。これにより、ユーザ装置UE2に対する上り回線の設定手続が開始される。
【００３７】
ステップS5では、ユーザ装置UE3が、ステップS2で受けた通知に応答する。これにより、ユーザ装置UE3に対する上り回線の設定手続が開始される。
【００３８】
ステップS3,S4,S5での応答は、図２のステップS5,S6,S7で行われる応答と同じでもよいし、異なってもよい。例えば、ステップS2の通知に応じて、ユーザ装置UE１が、上り回線の設定を要求する信号を送信してもよい。この場合、ステップS2の通知は、「上り回線が設定されることを通知する」、というよりも「上り回線の設定を要求するよう促す」にすぎず、要求するか否かをユーザが判断することがより明確化される。このようにすると、何らかの要求を求める信号は、常にユーザ側から発せられるようにすることができ、動作手順の統一化を図ることができる。
【００３９】
＜（ｂ）UE側からの契機で上り回線を設定する＞
図５は本発明の一実施例による別の動作例を示す。図２及び図３の場合と同様に、ステップS1で基地局装置eNBから各ユーザ装置UE1,UE2,UE3にMBMSチャネルが伝送され始める。
【００４０】
ステップS2では、ユーザ装置UE1が、上り回線の設定を要求する信号を基地局装置eNBに送信する。これにより、ユーザ装置UE1に対する上り回線の設定手続が開始される。
【００４１】
ステップS3では、別のユーザ装置UE2が、上り回線の設定を要求する信号を基地局装置eNBに送信する。これにより、ユーザ装置UE2に対する上り回線の設定手続が開始される。
【００４２】
ステップS4では、ユーザ装置UE3が、上り回線の設定を要求する信号を基地局装置eNBに送信する。これにより、ユーザ装置UE3に対する上り回線の設定手続が開始される。
【００４３】
ステップS2,S3,S4からそれぞれ送信される信号は、或る一定の時間枠の中で伝送されるように、各ユーザ装置からの送信タイミング又は基地局装置での受信タイミングが揃っている点で従来の方法と大きく異なる。そのような或る一定の時間枠は、ステップS1の下りMBMSチャネルの送信開始後、一定の周期（開始前に既知の周期）で訪れてもよいし、或るいはそのような時間枠が何時であるかを示す情報が必要に応じて各ユーザ装置に通知されてもよい。いずれにせよ、基地局装置は、上り回線の設定を要求する信号を各ユーザ装置から比較的短時間の内に受信する。これにより、基地局装置は各ユーザ装置から信号を受けたことを上位ノードにまとめて報告できる。ステップS2,S3,S4でユーザ装置が送信する信号は、一例として、未だコネクションが設定されていなければランダムアクセスチャネル(RACH)でもよいし、既にコネクションが設定済みであれば、スケジューリングを要求する信号でもよい。
【００４４】
＜（ｃ）組み合わせ＞
図３及び図５を参照しながら説明された方法は、個々に使用されてもよいし、組み合わせて使用されてもよい。例えば、図３のステップS2で上り回線の設定を促す信号がユーザ装置UE1,UE2,UE3に一括して送信された後、図３のステップS3,S4,S5の上り回線を要求する信号が、図５で説明された或る時間枠の中で伝送されてもよい。
【００４５】
或いは逆に、図５で説明されたステップS2,S3,S4の後に、基地局装置eNBからの応答信号（上り回線の設定を要求する信号に応答する信号）が、図３のステップS2のように各ユーザ装置に一括して送信されてもよい。
【００４６】
＜シグナリングの共通化＞
基地局装置からユーザ装置に伝送される制御情報には、ユーザ装置毎の個別情報と、複数のユーザ装置に共通する共通情報とがある。図３のステップS2のように、上り回線の設定を促す信号が基地局装置から送信される場合、その信号の内容は、個別情報として用意されてもよいし、共通情報として用意されてもよい。なお、制御情報は、PDCCHのような物理チャネルで伝送されてもよい。
【００４７】
図６は、上り回線の設定を促す信号(全UE用のシグナリング情報)が、個別情報として用意される様子を示す。ユーザ装置UE1に関する個別情報は、UE-ID#1、全UE用のシグナリング情報及びUE#1用のシグナリング情報を含む。ユーザ装置UE2に関する個別情報は、UE-ID#2、全UE用のシグナリング情報及びUE#2用のシグナリング情報を含む。ユーザ装置UE3に関する個別情報は、UE-ID#3、全UE用のシグナリング情報及びUE#3用のシグナリング情報を含む。これら３つの個別情報を含む信号が、１つのチャネル符号化単位を構成し、一括して基地局装置から各ユーザ装置へ伝送される。図示の便宜上、この場合におけるチャネル符号化単位は図示されていない。
【００４８】
ところで、これら３つの個別情報中の「全UE用のシグナリング情報」は、同じ内容である。従って図７に示されるように、この情報を共通情報として用意することも考えられる。この場合、ユーザ装置UE1に関する個別情報は、UE-ID#1及びUE#1用のシグナリング情報を含む。ユーザ装置UE2に関する個別情報は、UE-ID#2及びUE#2用のシグナリング情報を含む。ユーザ装置UE3に関する個別情報は、UE-ID#3及びUE#3用のシグナリング情報を含む。図中波線枠で示されるように、これら３つの個別情報と１つの共通情報とが１つのチャネル符号化単位に含まれる。各ユーザ装置は、自装置宛の個別情報を読み取るだけでなく、共通情報をも読み取る必要がある。
【００４９】
＜下りMBMSチャネルに専用の帯域を用意する＞
背景技術で言及したように、ユニキャストチャネルでは同程度に広い帯域が上下リンクにそれぞれ用意され、上りリンクと下りリンクにトラフィックが同程度に多く発生してもそれらをシステムに収容できるように設計されている。
【００５０】
図８上段はそのように上下リンクに同程度に広いシステム帯域が用意されている様子を示す。
【００５１】
ユニキャストチャネルとMBMSチャネルについては、各セルからの伝送方式が異なるので、それらを時間分割多重(TDM)方式で伝送することが考えられるかもしれない。例えば、所定の周期で訪れるサブフレームでMBMSチャネルを伝送し（図８中段）、他のサブフレームではユニキャストチャネルが伝送されるようにしてもよい（図８上段）。
【００５２】
図８中段に示されるように、MBMSの場合、上下リンクのトラフィック量は非対称になることが多分に予想される。この場合、上りチャネル用の帯域の利用率はかなり低くなってしまうおそれがある。
【００５３】
図８下段に示されるように、本発明の一実施例では、下りMBMSチャネルに専用の帯域がユニキャストチャネル用の帯域とは別に用意される。下りMBMSチャネルに対する応答は（上記の上り回線）は、上りユニキャストチャネルの帯域で伝送される。例えば、上下リンクのユニキャストチャネル用の帯域は2GHz帯に用意され、下りMBMSチャネルに専用の帯域が1.7GHz帯に用意されてもよい。上りリンクに関し、上りユニキャストチャネルだけでなく、下りMBMSチャネルに対する応答信号も同じ帯域で伝送されることになるので、その分だけ輻輳することが予想される。しかしながら、そのような応答信号の数やデータサイズは一般に小さいので、既存のユニキャストチャネルの通信を大きく制限することにはならない。本実施例では、ユニキャストチャネルを通信するシステムは、LTE方式のシステムであるが、それは本発明に必須でなく、上り回線を設定する適切な如何なるシステムでよい。例えば、下りMBMSチャネルに応答するための上り回線が、W-CDMA方式のシステムで用意されてもよいし、WiMAX方式のシステムで用意されてもよい。下りMBMSチャネルに対するユーザの意思表示が、下りMBMSチャネルの送信元に届けばよいからである。
【００５４】
＜基地局装置（eNB）＞
図９は、本発明の一実施例による基地局装置(eNB)２００を示す。基地局装置はアンテナ２０２を有する。基地局装置はアンプ部２０４を有する。基地局装置は送受信部２０６を有する。基地局装置はベースバンド処理部２０８を有する。基地局装置は呼処理部２１０を有する。基地局装置は伝送路インターフェース２１２を有する。
【００５５】
上りリンクに関し、アンテナ２０２で受信された上りリンクの信号は、アンプ部２０４で適切に増幅され、送受信部２０６に与えられる。送受信部２０６では無線周波数信号がベースバンド信号に変換される。ベースバンド処理部２０８では、物理レイヤに関する処理、MACレイヤに関する処理及びRLCレイヤに関する処理等が行われる。
【００５６】
上りリンクの物理レイヤに関する処理は、チャネル復号化、離散フーリエ変換(DFT)、周波数デマッピング、逆フーリエ変換(IFFT)、データ復調等の処理を含む。上りリンクのMACレイヤに関する処理は、受信した信号に対するMACレイヤでの再送制御(HARQ)、上りリンクに対するスケジューリング、PUSCHの伝送フォーマットの選択、PUSCHのリソースブロックの選択等の処理を含む。上りリンクのRLCレイヤに関する処理は、受信したパケットに対して、パケットの分割、パケットの結合、RLCレイヤでの再送制御等の処理を含む。
【００５７】
呼処理部２１０は、通信チャネルの設定及び解放等の呼処理、基地局の状態管理、無線リソースの管理等を行う。
【００５８】
伝送路インターフェース２１２は上りリンクで受信したユーザデータを上位ノードに伝送する。
【００５９】
図５で説明されたような或る一定の時間枠内で受信された信号の受信処理は、ベースバンド処理部２０８で行われ、各ユーザ装置からそのような信号を受けたことは、上位ノードにまとめて報告される。
【００６０】
一方、下りリンクに関し、伝送路インターフェース２１２で受信されたユーザデータ又は下りMBMSチャネルは、ベースバンド処理部２０８に与えられる。ベースバンド処理部２０８では、RLCレイヤに関する処理、MACレイヤに関する処理、物理レイヤに関する処理等が行われる。
【００６１】
下りリンクの物理レイヤに関する処理は、チャネル符号化、データ変調、周波数マッピング、逆フーリエ変換(IFFT)等の処理を含む。下りリンクのMACレイヤに関する処理は、送信する信号に対するMAC再送制御、下りリンクに対するスケジューリング、PDSCHの伝送フォーマットの選択、PDSCHのリソースブロックの選択等の処理を含む。下りリンクのRLCレイヤに関する処理は、パケットの分割、パケットの結合、RLCレイヤでの再送制御等を含む。
【００６２】
下りデータは送受信部２０６で無線周波数信号に変換され、アンプ部２０４で増幅され、アンテナ２０２から送信される。
【００６３】
ユーザ装置UE1,UE2,UE3に対する上り回線の設定を促す信号は、ベースバンド信号処理部２０８で作成される。各ユーザ装置に一括して送信される情報は、１つのチャネル符号化単位を構成する。
【００６４】
＜ユーザ装置（UE）＞
図１０は、本発明の一実施例によるユーザ装置UEを示す。ユーザ装置はアンテナ１０２を有する。ユーザ装置はアンプ部１０４を有する。ユーザ装置は送受信部１０６を有する。ユーザ装置はベースバンド処理部１０８を有する。ユーザ装置は呼処理部１１０を有する。ユーザ装置はアプリケーション部１１２を有する。
【００６５】
下りリンクに関し、アンテナ１０２で受信された上りリンクの信号は、アンプ部１０４で適切に増幅され、送受信部１０６に与えられる。送受信部１０６では無線周波数信号がベースバンド信号に変換される。ベースバンド処理部１０８では、物理レイヤに関する処理、MACレイヤに関する処理及びRLCレイヤに関する処理等が行われる。
【００６６】
下りリンクの物理レイヤに関する処理は、チャネル復号化、高速フーリエ変換(FFT)、周波数デマッピング、データ復調等の処理を含む。下りリンクのMACレイヤに関する処理は、受信した信号に対するMACレイヤでの再送制御(HARQ)、下りスケジューリング情報の解析（PDSCHの伝送フォーマットの特定、PDSCHのリソースブロックの特定等）を含む。下りリンクのRLCレイヤの処理は、受信したパケットの分割、パケットの結合、RLCレイヤでの再送制御等を含む。
【００６７】
一方、上りリンクに関し、アプリケーション部１１２で発生したデータは、ベースバンド処理部１０８に与えられる。ベースバンド処理部１０８では、RLCレイヤに関する処理、MACレイヤに関する処理、物理レイヤに関する処理等が行われる。以後、上りデータは送受信部１０６で無線周波数信号に変換され、アンプ部１０４で増幅され、アンテナ１０２から送信される。
【００６８】
上りリンクの物理レイヤに関する処理は、チャネル符号化、データ変調、離散フーリエ変換(DFT)、周波数マッピング、逆フーリエ変換(IFFT)等の処理を含む。上りリンクのMACレイヤに関する処理は、送信する信号に対するMAC再送制御、上りスケジューリング情報の解析（PUSCHの伝送フォーマットの特定、PUSCHのリソースブロックの特定等の処理、TPCビットの特定）を含む。上りリンクのRLCレイヤの処理は、送信するパケットの分割、パケットの結合、RLCレイヤでの再送制御等を含む。
【００６９】
以上本発明は特定の実施例を参照しながら説明されてきたが、実施例は単なる例示に過ぎず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が本発明に包含される。
【図面の簡単な説明】
【００７０】
【図１】移動通信システムを示す図である。
【図２】従来の動作例を示す図である。
【図３】一実施例による動作例を示す図である。
【図４】チャネル符号化単位を示す図である。
【図５】一実施例による別の動作例を示す図である。
【図６】制御情報が個別情報として用意される様子を示す図である。
【図７】制御情報が個別情報及び共通情報を含む様子を示す図である。
【図８】下りMBMSチャネルに専用の帯域が用意される様子を示す図である。
【図９】基地局装置(eNB)を示す図である。
【図１０】ユーザ装置(UE)を示す図である。
【符号の説明】
【００７１】
１００，ＵＥ  ユーザ装置
１０２  送受信アンテナ
１０４  アンプ部
１０６  送受信部
１０８  ベースバンド処理部
１１２  アプリケーション部
２００，ｅＮＢ  基地局装置
２０２  送受信アンテナ
２０４  アンプ部
２０６  送受信部
２０８  ベースバンド信号処理部
２１０  呼処理部
２１２  伝送路インターフェース
【図１】
2009147537.tif 000003
【図２】
2009147537.tif 000004
【図３】
2009147537.tif 000005
【図４】
2009147537.tif 000006
【図５】
2009147537.tif 000007
【図６】
2009147537.tif 000008
【図７】
2009147537.tif 000009
【図８】
2009147537.tif 000010
【図９】
2009147537.tif 000011
【図１０】
2009147537.tif 000012